(57)【要約】【課題】ディスクトレーに対するディスクの配置や取り出しが容易で、奥行きの小さい薄型テレビなどにも組み込むことのできる簡便なトレー搬送方式の縦型ディスク駆動装置を提供する。【解決手段】ディスクを回転させるためのターンテーブル７の軸線に直交する支点軸４ｄ回りに旋回可能とされて、ターンテーブル７を内蔵する筐体１からターンテーブル７の軸線方向に張り出すイジェクト位置と、ターンテーブル７よりも筐体１の内部側に退避したドライブ位置と、の間を旋回移動するディスクトレー４を備える。ディスクトレー４には、ドライブ位置において外向きとなる面にディスクを配置する凹状のディスク配置部４ａが形成される。【選択図】図２
2008204559.tif 000002
【特許請求の範囲】
【請求項１】
ディスクを回転させるためのターンテーブルと、該ターンテーブルを内蔵する筐体と、を有するディスク駆動装置であって、
前記ターンテーブルの軸線に直交する支点軸回りに旋回可能とされて、前記筐体から前記ターンテーブルの軸線方向に張り出すイジェクト位置と、前記ターンテーブルよりも前記筐体の内部側に退避したドライブ位置と、の間を旋回移動するディスクトレーを備えることを特徴とするディスク駆動装置。
【請求項２】
前記ディスクトレーは、前記ドライブ位置において外向きとなる面にディスクを配置するための凹状のディスク配置部を有することを特徴とする請求項１記載のディスク駆動装置。
【請求項３】
前記支点軸は、ディスクトレーがイジェクト位置とドライブ位置との間を旋回移動するときに上下方向に直進移動する移動支点であることを特徴とする請求項１、又は２記載のディスク駆動装置。
【請求項４】
前記ディスクトレーの旋回移動に連動し、前記ドライブ位置におけるディスクトレーを覆う状態となるフロントドアを有し、
そのフロントドアは、該フロントドアが前記ドライブ位置のディスクトレーを覆う状態に位置するときに、前記ターンテーブルと協同してディスクの中心部をチャッキングする回転自在なクランプ盤を備えていることを特徴とする請求項１〜３のいずれかに記載のディスク駆動装置。
【発明の詳細な説明】
【技術分野】
【０００１】
本発明は、ディスク（円盤状記録媒体）を回転駆動しながらオーディオ情報やビジュアル情報を記録したり、その記録情報を再生したりするのに用いられるディスク駆動装置に係わり、特にディスクを回転させるのに用いられるターンテーブルの軸線が水平方向を指向する状態に配置される縦型のディスク装置に関する。
【背景技術】
【０００２】
従来、ディスク駆動装置として、ターンテーブル上にディスクを手動で載せるもの、マガジン内に収納された複数のディスクから選択された一枚のディスクを取り出してターンテーブル上に自動搬送するオートチェンジャ機能を備えたもの、及びディスクをトレーに載せて搬送するトレー搬送方式のものが知られる。
【０００３】
このうち、トレー搬送方式のディスク駆動装置では、ディスクを載せたディスクトレーが水平状態を保って移動しながら、水平状に配置されるターンテーブル上までディスクを搬送する横型が主流であるが、コンピュータ本体などに内蔵されるものではターンテーブルの軸線が水平方向に指向される縦型も多い（例えば、特許文献１）。
【０００４】
ここに、トレー搬送方式の縦型ディスク駆動装置によれば、ディスクトレーに載せられたディスクをターンテーブルに装着できるよう、ディスクトレーはターンテーブルに平行して垂直姿勢に配置され、ターンテーブルの軸線と直交する方向に平行移動する構成とされるものが一般的であるが、その種のディスクトレーは左右いずれかの面にディスクが配置されるようになっているので、ユーザによってはディスクトレーに対するディスクの配置が困難になることがある。
【０００５】
例えば、ディスクの配置面が向かって右側にあるとき、左利きのユーザにとってはディスクの配置が困難となり、逆にディスクの配置面が向かって左側にあるときには右利きのユーザにとってディスクの配置が困難になる。
【０００６】
そこで、ディスクトレーがターンテーブルの軸線と直交する方向に沿って装置本体の内部と外部との間を平行移動する構成の縦型ディスク駆動装置にして、そのディスクトレーが外部に突出されたとき垂直姿勢から水平姿勢に変換するようにしたものが提案されている（例えば、特許文献２）。
【０００７】
【特許文献１】特開平１０−０６４１５０号公報（段落００１５、図２）
【０００８】
【特許文献２】特開平０９−３２０１６２号公報（段落０００６、００１７、００２２、図１）
【発明の開示】
【発明が解決しようとする課題】
【０００９】
しかしながら、特許文献２によれば、ディスクトレーの角度を変更する機構のほか、ディスクトレーをターンテーブルの軸線と直交する方向に平行移動させる機構を必要とするので装置全体が複雑な構造となるし、ディスクトレーが垂直姿勢のまま装置本体内に引き込まれるので、奥行きの大きな装置でなければ適用できないという問題がある。
【００１０】
加えて、特許文献１、２のいずれもディスクトレーがターンテーブルの軸線と直交する方向に沿って直進平行移動する構成であるから、これに載せたれたディスクをターンテーブルに装着するには、ターンテーブルを含むユニット（通常、トラバースメカと呼ばれるもの）をディスクトレーのディスク配置面と直交する方向に移動させる機構を必要とするので、装置の小型化、薄型化がより困難になるという欠点がある。
【００１１】
尚、ディスクトレーにターンテーブルやピックアップを一体として組み付けた縦型ディスク駆動装置も知られるが、その種の装置ではディスクトレーにディスクを載せる際などにピックアップに指先が触れ、ピックアップ機能を損ねてしまう可能性がある。
【００１２】
本発明は以上のような事情に鑑みて成されたものであり、その目的は従来装置に比べて簡易構造でありながらディスクトレーに対するディスクの配置や取り出しが容易で、奥行きの小さい薄型テレビなどにも組み込むことのできる簡便なトレー搬送方式の縦型ディスク駆動装置を提供することにある。
【課題を解決するための手段】
【００１３】
本発明は上記目的を達成するため、
ディスクを回転させるためのターンテーブル７と、該ターンテーブル７を内蔵する筐体１と、を有するディスク駆動装置であって、
ターンテーブル７の軸線に直交する支点軸４ｄ回りに旋回可能とされて、筐体１からターンテーブル７の軸線方向に張り出すイジェクト位置と、ターンテーブル７よりも筐体１の内部側に退避したドライブ位置と、の間を旋回移動するディスクトレー４を備えることを特徴とする。
【００１４】
加えて、ディスクトレー４は、前記ドライブ位置において外向きとなる面にディスクＤを配置するための凹状のディスク配置部４ａを有することを特徴とする。
【００１５】
又、支点軸４ｄは、ディスクトレー４がイジェクト位置とドライブ位置との間を旋回移動するときに上下方向に直進移動する移動支点であることを特徴とする。
【００１６】
更に、ディスクトレー４の旋回移動に連動し、前記ドライブ位置におけるディスクトレー４を覆う状態となるフロントドア２を有し、
そのフロントドア２は、該フロントドア２が前記ドライブ位置のディスクトレー４を覆う状態に位置するときに、ターンテーブル７と協同してディスクの中心部をチャッキングする回転自在なクランプ盤３を備えていることを特徴とする。
【発明の効果】
【００１７】
本発明に係るディスク駆動装置によれば、
ディスクトレーが、ターンテーブルの軸線方向に張り出すイジェクト位置と、ターンテーブルよりも筐体の内部側に退避したドライブ位置と、の間を旋回移動する構成とされていることから、ディスクトレーの旋回移動のみでターンテーブルにディスクを装着したり、そのディスクをディスクトレーに載せてイジェクトしたりすることができる。よって、従来装置のようにターンテーブルやピックアップをターンテーブルの軸線方向に移動させる機構が不要となり、装置構造を簡易化することができる。
【００１８】
しかも、ディスクトレーが上記２つの位置の間で旋回移動することにより、従来装置のようにディスクトレーを筐体の奥まで引き込む機構も不要となる。このため、装置構造を更に簡易化することができるほか、情報の記録再生機として薄型テレビなどの奥行きの小さな機器にも組み込むことが可能になる。
【００１９】
加えて、ディスクトレーは、ドライブ位置において外向きとなる面にディスクＤを配置するための凹状のディスク配置部４ａを有することから、ディスクトレーをイジェクト位置に旋回移動させたときには、ディスク配置部を上向きとすることができる。よって、ユーザの利き手に拘わらずディスクの配置や取り出しを容易に行え、自動車内などの振動伝播系での使用に際してもイジェクト位置におけるディスクトレーからディスクが脱落してしまうことがない。
【００２０】
又、支点軸は、ディスクトレーがイジェクト位置とドライブ位置との間を旋回移動するときに上下方向に直進移動する移動支点とされることから、ディスクトレーの旋回に要する占有スペースを小さくすることができる。このため、筐体に大きな開閉部分を設けずしてディスクトレーの旋回移動を行うことが可能になる。
【００２１】
更に、ディスクトレーの旋回移動に連動し、ドライブ位置におけるディスクトレーを覆う状態となるフロントドアを有することから、そのフロントドアによりディスクトレーの出入り部分を遮蔽して体裁を損なわず、防塵効果も得られ、しかもフロントドアにはターンテーブルと協同してディスクの中心部をチャッキングする回転自在なクランプ盤が設けられることから、ディスクをターンテーブルに押し付けたまま確実に回転させることができる。
【発明を実施するための最良の形態】
【００２２】
以下、本発明に係るディスク駆動装置の具体的な構成例を図面に基づいて詳しく説明する。図１はディスクを回転駆動するときの状態であり、図２にはディスクをイジェクトするときの状態を示している。
【００２３】
図１、図２において、１は本発明に係るディスク駆動装置の外装を成す筐体であり、その下部前面側は上縁を自由端として開閉動作するフロントドア２とされる。図２に示されるように、フロントドア２の裏側には回転自在なクランプ盤３が設けられており、フロントドア２が図１の如く閉じられた状態でそのクランプ盤３と後述するターンテーブルとによりディスクＤの中心部がチャッキングされるようになっている。
【００２４】
又、図２において、４はフロントドア２が開かれることによって現れるディスクトレーであり、このディスクトレー４は、筐体１から水平状態（ターンテーブルの軸線方向）に張り出すイジェクト位置（図２参照）と、後述するターンテーブルに平行して垂直姿勢となるドライブ位置と、の間を旋回移動し、図２に示されるイジェクト位置では当該ディスクトレー４にディスクを配置可能とされる。特に、ディスクトレー４にはイジェクト位置において上向きとなる面（ドライブ位置では外向きとなる面）に凹状のディスク配置部４ａが形成される。そのディスク配置部４ａは同心円状の第１配置部４ａ１と第２配置部４ａ２から成り、このうち第１配置部４ａ１に小径（例えば直径８ｃｍ）のディスクが嵌合配置され、第２配置部４ａ２には大径（例えば直径１２ｃｍ）のディスクが配置可能とされる。
【００２５】
このようなディスク駆動装置によれば、フロントドア２に内部を透視可能な窓を設けることにより、ディスクＤの回転状態を視認可能となるので、ディスクＤの表面（印刷面）のデザインを工夫して視覚的な趣向を凝らすことができ、しかもディスクＤの裏面（記録面）が常にユーザの反対側に向けられるので当該記録面が汚損されることを防止できる。
【００２６】
尚、図２において、５はディスクトレー４に取り付けたピックアップカバーであり、このピックアップカバー５は、ディスクトレー４がイジェクト位置にあるときに後述するピックアップを覆って該ピックアップに塵埃が付着したりユーザが触れたりするのを防止する働きをする。ここに、上記のフロントドア２は、ディスクトレー４の旋回移動に連動して開閉動作を行うが、ディスクトレー４がイジェクト位置にあるときには、フロントドア２が傾斜姿勢に開かれたままディスクトレー４の下方領域を覆うようになるので、そのフロントドア２によってもピックアップがユーザにより触れられることを防止することができる。
【００２７】
又、６はフロントドア２より上方に設けられるスライドドアであり、このスライドドア６はディスクトレー４の旋回移動を許容するべく上下方向に摺動し、ディスクトレー４が上述のドライブ位置まで旋回移動したときには、該スライドドア６と上述のフロントドア２とにより筐体１の前面開閉部分が図１のように密閉される構成となっている。
【００２８】
図３はドライブ位置のディスクトレー４を実線で示している。尚、図３において、７はディスクＤを回転させるターンテーブル、８はターンテーブル７を回転駆動するモータ、９はディスクＤに情報を記録したりその記録情報を読み出したりするのに用いられるピックアップであり、ディスクトレー４がドライブ位置にあるときには、ターンテーブル７がその軸線を水平方向に向けたまま、上記クランプ盤３と協同してディスクＤの中心部をチャッキングしてディスクＤの回転駆動を行い、ディスクトレー４はターンテーブル７に装着されたディスクＤに対して平行な垂直姿勢（ターンテーブル７よりも筐体１の内部側に退避していれば、必ずしもディスクに対して平行であることに限らず、ディスクに対して若干傾いた状態でもよい）になる。又、ピックアップ９は、回転されるディスクＤの盤面に沿ってその半径方向に移動しながら、情報の読み出しや書き込みを行う。
【００２９】
ここに、ディスクトレー４は、その旋回移動により、ドライブ位置ではターンテーブル７にディスクＤを引き渡してディスクＤから離間し、ディスクＤをイジェクトするときにはターンテーブル７側に旋回移動してターンテーブル７からディスクＤを引き取るよう動作する。
【００３０】
次に、ディスクトレーの構成を説明する。図４はディスクトレーの平面図、図５は同トレーを表面側からみた透視図である。これらの図で明らかなように、ディスクトレー４はその中央部から一端側に開放せしめた切欠部４ｂを有する平面視略門形の形態で、切欠部４ｂの開放側とは反対の端縁には左右一対のブラケット４ｃが突設され、その両ブラケットからディスクトレー４の幅方向に支点軸４ｄ（ヒンジピン）が突出されている。
【００３１】
切欠部４ｂは、図５のようにピックアップ９の移動経路に対応する位置に形成されるもので、ディスクＤをターンテーブル７に装着するときには、係る切欠部４ｂの位置でターンテーブル７がディスクトレー４をその厚さ方向（図示面直角方向）に透過することが許容され、ターンテーブル７に装着されたディスクＤに対しては切欠部４ｂを通じてピックアップ９からレーザ光を照射することが可能とされる。
【００３２】
又、支点軸４ｄは、ディスクトレー４が上述のイジェクト位置とドライブ位置との間を旋回移動するときの支点となる移動支点で、ディスクトレー４の旋回移動時には当該支点軸４ｄが自転しながら上下方向（ターンテーブル７の軸線と直交する方向）に直進移動する構成とされている。
【００３３】
一方、図４に示されるように、ディスクトレー４に形成される上記ディスク配置部４ａにおいて、第１配置部４ａ１にはその周壁を部分的に切り欠いてなるスリット４ｅが形成され、第２配置部４ａ２には切欠部４ｂの開放側の周縁に沿って円弧状の凸条４ｆが形成される。スリット４ｅと凸条４ｆは、ディスクトレー４の旋回移動時にディスク配置部４ａからディスクが脱落するのを防止するためのもので、このうちスリット４ｅの近隣には、第１配置部４ａ１に配置されたディスクを保持するためのリテーナプレート１０と該リテーナプレートを作動させるためのトリガープレート１１とが設けられる。
【００３４】
リテーナプレート１０とトリガープレート１１は、スリット４ｅに隣接してディスクトレー４の裏面側に設けられており、一方のリテーナプレート１０は図５に示される軸部４ｇを中心に揺動可能とされ、他方のトリガープレート１１はディスクトレー４に形成されるガイドレール４ｈに沿ってリテーナプレート１０に対し接近する方向と離間する方向とに移動可能とされている。このうち、リテーナプレート１０は、その一端部に上述のスリット４ｅに対応する爪部１０ａと後述する凸部１０ｂが形成されると共に、リテーナプレート１０の他端側はバネ１２によりディスクトレー４の部位に繋がれ、そのバネ１２により爪部１０ａが第１配置部４ａ１に向かうような付勢力が与えられている。特に、リテーナプレート１０には、図６のように一端が開放された係止溝１０ｃが形成されている。
【００３５】
図７は、リテーナプレート１０とトリガープレート１１の配置部分をディスクトレー４の裏面側からみた拡大図である。この図で明らかなように、トリガープレート１１にはリテーナプレート１０の係止溝１０ｃに嵌るロックピン１１ａが形成され、そのロックピン１１ａが係止溝１０ｃに嵌ることでリテーナプレート１０がバネ１２の付勢力に抗して図７の実線位置に拘束されるようにしてある。そして、係るトリガープレート１１が図７の矢印方向（図７の上側）に移動してロックピン１１ａが係止溝１０ｃから脱出されたとき、リテーナプレート１０がバネ１２の作用により図７の時計回りに揺動され、しかして爪部１０ａが上記スリット４ｅ（図４参照）から第１配置部４ａ１内に進入してディスクＤの端面に押し付き、これによって当該ディスクＤの保持が行われるようになっている。
【００３６】
尚、図７に示されるように、トリガープレート１１にはその長手方向（移動方向）に沿ってラック部１１ｂが形成され、そのラック部１１ｂに動力伝達が行われることにより当該トリガープレート１１がその長手方向に移動しながらリテーナプレート１０を上記のように作動させるようになっているが、ディスクトレー４が上記ドライブ位置とイジェクト位置にあるときは、リテーナプレート１０によるディスクＤの保持は行われず（リテーナプレート１０が図７の実線位置に拘束され）、ディスクトレー４がドライブ位置とイジェクト位置との間で旋回移動する途上の傾斜姿勢において、リテーナプレート１０によるディスクＤの保持動作が行われるようなメカニズムとなっている。
【００３７】
次に、図８はディスクトレー４と上記したピックアップカバー５との斜視分解図を示す。この図で明らかなように、ピックアップカバー５は矩形状の薄板で、その一角に直角に折れ曲がった長短２つの脚部５ａ，５ｂが形成されると共に、左右両側縁には一対の軸部５ｃが形成される。又、脚部５ａが形成される端縁とは反対の端縁には円弧状の切欠部５ｄが形成される。この切欠部５ｄは、ディスクトレー４がドライブ位置にあるときピックアップカバー５が上記ターンテーブルに干渉するのを防止するためのもので、該切欠部５ｄの曲率中心はドライブ位置におけるディスクトレー４のディスク配置部４ａの中心に一致する。
【００３８】
一方、ディスクトレー４のブラケット４ｃには、ピックアップカバー５の軸部５ｃを回転自在に支持する孔部４ｉが形成される。そして、ピックアップカバー５はその軸部５ｃを孔部４ｉに差し込んでディスクトレー４の裏面側に揺動自在に取り付けられる。特に、軸部５ｃの外周にはトーションバネ５ｅが設けられ、その一端がピックアップカバー５の裏面側に係止されると共に、他端がディスクトレー４の部位に係止される。
【００３９】
これにより、ピックアップカバー５は図８の時計回り（ＣＷ）に付勢され、ディスクトレー４に平行してその裏面に密着するようになっている。但し、ディスクトレー４がドライブ位置からイジェクト位置に移行するとき、ピックアップカバー５はディスクトレー４に追従して旋回せず、上記脚部５ａ，５ｂからトーションバネ５ｅの付勢力に抗する反力が与えられることによりディスクトレー４の裏面より離脱してディスクトレー４と直交する状態となる。
【００４０】
図９はディスクトレー４がドライブ位置とイジェクト位置にあるときのピックアップカバーの状態を示し、図１０はディスクトレー４が旋回移動しているときのピックアップカバー５の状態を示している。
【００４１】
図９から明らかなように、ディスクトレー４が一点鎖線で示されるイジェクト位置にあるとき、ピックアップカバー５はディスクトレー４に直交してピックアップ９を覆い、ディスクトレー４が実線で示されるドライブ位置にあるときには、ピックアップカバー５がピックアップ９およびターンテール７上から退けられる。
【００４２】
又、図１０のように、ディスクトレー４がドライブ位置とイジェクト位置との間を旋回移動するとき、ピックアップカバー５はその脚部５ａが床板１３に摺接して図１０の時計回りの旋回を規制されたまま、ターンテーブル７に干渉せぬようその上を傾斜姿勢で通過し、ディスクトレー４が図１０の一点鎖線で示されるイジェクト位置に達したときには、ピックアップカバー５が脚部５ｂを床板１３に接したまま、ディスクトレー４に直交してピックアップ９を覆うようになる。
【００４３】
よって、ピックアップ９が外部に露出されてユーザに触れられることがなく、しかもピックアップカバー５によって外部からの塵埃の侵入が防止されるので、ピックアップ９の機能が損なわれず、長期に亘って高品質を維持することができる。
【００４４】
尚、図１０において、床板１３はターンテーブル７やピックアップ９に対向する部分を開口せしめた段付きの板材で、その裏側（図１０の右側）にはディスクトレー４の旋回移動に必要な伝動部材が配置される。
【００４５】
次に、ディスクトレー４の旋回移動に関係する内部機構について説明する。図１１〜図１３において、１４はディスク駆動装置の背面を成すベースフレームであり、その左右両側には直角に立ち上がる側板１５，１６が設けられる。
【００４６】
図１１、図１２のように、両側板１５，１６にはディスクトレー４の支点軸４ｄを移動案内するガイド溝１５ａ，１６ａが形成され、それらガイド溝１５ａ，１６ａに沿ってディスクトレー４の支点軸４ｄが摺動自在に支持される構成とされている。
【００４７】
特に、一方の側板１５には、図１１のようにガイド溝１５ａに平行する第２ガイド溝１５ｂが形成され、他方の側板１６には、図１２のようにガイド溝１６ａの長さ方向に沿って摺動可能なスライドプレート１７が取り付けられる。
【００４８】
又、図１１および図１２において、１８は図１、図２に示したフロントドア２を構成するドアフレームであり、その両端は軸部１８ａにより両側板１５，１６に結節され、該ドアフレーム１８の自由端側の中央に上記のクランプ盤３（図１２では省略）が取り付けられている。又、１９，２０は左右一対の旋回アームであり、その各一端は軸部１９ａ（旋回アーム２０の軸部は図示せず）にて両側板１５，１６に結節され、他方の各一端は軸部１９ｂ，２０ｂにてディスクトレー４の両側縁中央部に結節されている。特に、一方の旋回アーム１９の一端には軸部１９ｂを中心とする扇形のギア部１９ｃが形成され、そのギア部１９ｃが図７などに示したトリガープレート１１のラック部１１ｂと噛み合わされている。他方、旋回アーム２０には図１２に示される如くその中央部にピン２０ｃが突設される。
【００４９】
図１２において、１７ａはピン２０ｃに対応してスライドプレート１７に形成したカム溝、１７ｂはカム溝１７ａに近接してスライドプレート１７に形成したカム溝、２１は側板１６とドアフレーム１８とを連接するリンクであり、リンク２１の中間部分にはカム溝１７ｂに嵌る従節ピン２１ａが突設され、スライドプレート１７にはリンク２１と側板１６との結節点２１ｂに対応して逃げ溝１７ｃが形成される。
【００５０】
又、図１１および図１２から明らかなように、スライドプレート１７と側板１５との間には図１、図２に示したスライドドア６が掛け渡され、これがスライドプレート１７に連動して上下方向に移動するようにしてある。
【００５１】
ここに、スライドプレート１７が図１２の上下方向に移動すると、そのカム溝１７ｂで従節ピン２１ａが加圧されることによりリンク２１が側板１６との結節点２１ｂを支点に揺動してドアフレーム１８に開閉運動を行わせるようになる一方、旋回アーム２０はピン２０ｃがカム溝１７ａに嵌まり込んでいる間だけスライドプレート１７から旋回駆動力を与えられてディスクトレー４を旋回移動せしめるが、スライドプレート１７の移動に伴って旋回アーム２０のピン２０ｃがカム溝１７ａから外れると、ディスクトレー４に対する旋回駆動力が旋回アーム２０から後述する伝動系に切り換わり、旋回アーム２０が上記とは逆にディスクトレー４の旋回移動に追従して旋回される構成とされている。
【００５２】
尚、一対の旋回アーム１９，２０は同調して駆動するよう軸部１９ａ側が図示せぬ連結板により連結されており、その旋回時には図１４のように一方の旋回アーム１９に形成されたギア部１９ｃにより、トリガープレート１１が移動されて上記のようなディスクの保持動作と解放動作が行われる。
【００５３】
又、ディスクトレー４がドライブ位置と図１２に示されるイジェクト位置との間を旋回移動する途上において、ドアフレーム１８はディスクトレー４の旋回移動を阻害せぬよう図１２の実線で示される最大開放状態となるが、ディスクトレー４がイジェクト位置に達するときにはドアフレーム１８が閉鎖方向に向かって図１２の一点鎖線で示される位置となり、逆にドアフレーム１８が閉じられるとき（ディスクトレー４がイジェクト位置からドライブ位置に旋回移動するとき）には、ドアフレーム１８が図１２の一点鎖線で示す位置から実線位置に開度を拡大させた後で閉鎖方向に向かうという逆行動作が行われる。
【００５４】
次に、図１３において、ベースフレーム１４には、ディスクトレー４に旋回移動を行わせるトレー移動機構２２のほか、ターンテーブル７やピックアップ９が組み付けられる。トレー移動機構２２は、上記スライドプレート１７や旋回アーム１９，２０を含んで構成される伝動系で、２３はその駆動源を成すモータを示している。
【００５５】
モータ２３の駆動軸にはプーリ２４が取り付けられ、そのプーリ２４とモータ２３に隣接するプーリ２５とにはベルトＢが巻き掛けられる。２５ａはプーリ２５と一体に形成されるギア部、２６はギア部２５ａと噛み合う大径ギア部２６ａを有するアイドルギア２６、２７はアイドルギア２６の小径ギア部２６ｂと噛み合う大径ギア部２７ａを有するカムギア、２８はカムギア２７の小径ギア部２７ｂと噛み合う大径ギア部２８ａを有する出力ギアであり、出力ギア２８の小径ギア部２８ｂは可動ラック２９に噛み合わされている。尚、これらの部材２３〜２９は図１０に示した床板１３により覆われる。
【００５６】
ここに、カムギア２７の小径ギア部２７ｂおよび出力ギア２８の大径ギア部２８ａは、それぞれ円周の一部が欠歯部２７ｃ，２８ｃとされる欠歯ギアであり、このうち出力ギア２８には、欠歯部２８ｃの位置にてカムギア２７の小径ギア部２７ｂ上に突き出す係止爪２８ｄが形成される。一方、カムギア２７には係止爪２８ｄに対応して小径ギア部２７ｂの上面外周縁（欠歯部２７ｃの一端位置）に係止突起２７ｄが形成され、欠歯部２７ｃ，２８ｃにより断絶されたカムギア２７と出力ギア２８の噛合いが、係止突起２７ｄと係止爪２８ｄとの係合により復帰されるようになっている。
【００５７】
又、カムギア２７の小径ギア部２７ｂの上面には、後述するディスク解放レバーを作動させるためのカム溝２７ｅが形成され、カムギア２７の底部には揺動レバー３０を作動させるためのカム溝２７ｆが形成される。
【００５８】
揺動レバー３０は、モータ２３の駆動力を上記スライドプレート１７に伝達して該スライドプレート１７を移動させるもので、その一端部にはカム溝２７ｆに嵌る従節ピン３０ａが設けられ、他端部にはスライドプレート１７に形成される突起１７ｄと係合する係止部３０ｂが形成される。尚、揺動レバー３０は、ベースフレーム１４との結節点３０ｃを中心に揺動可能とされると共に、ベースフレーム１４との間にバネ３１で繋がれて図１３の反時計回りに付勢されている。
【００５９】
又、図１５から明らかなように、カムギア２７のカム溝２７ｆは、その一端から他端に向かってカムギア２７の中心との距離が漸次小さくなる第１経路２７ｆ１と、カムギア２７の中心との距離が漸次大きくなる第２経路２７ｆ２と、が連続する形態であり、このためカムギア２７が一方向に回転する間に図１３に示した揺動レバー３０は正逆に揺動し、以って図１２に示したドアフレーム１８の開閉時における一時的な逆行動作が実現されている。
【００６０】
一方、図１３において、上記の可動ラック２９は、その長手方向に摺動可能にしてベースフレーム１４に配置されるラック部品で、これにはピニオン３２が回転自在に取り付けられている。又、ベースフレーム１４には、可動ラック２９に平行して固定ラック１４ａが形成されるほか、可動ラック２９に隣接して該可動ラック２９と同方向に移動可能なキャリヤプレート３３が設けられ、そのキャリヤプレート３３にはフックレバー３４が揺動自在に結合されている。
【００６１】
図１６、図１７で明らかなように、キャリヤプレート３３にはラック部３３ａが形成されており、そのラック部３３ａと固定ラック１４ａにピニオン３２が常時噛み合う構成とされている。又、図１７で明らかなように、キャリヤプレート３３は、フックレバー３４の先端部との間にディスクトレーの支点軸４ｄを挟み込むための凹部３５を形成する突起３３ｂを有している。尚、図１７において、３４ａはフックレバー３４に形成したガイドピンで、このガイドピン３４ａは図１１に示した第２ガイド溝１５ｂに嵌め込まれる。又、３４ｂはフックレバー３４の揺動中心を成す結節ピンであり、その結節ピン３４ｂにてフックレバー３４がキャリヤプレート３３に揺動自在に結合されている。
【００６２】
そして、以上のようなトレー移動機構２２によれば、出力ギア２８により可動ラック２９がその長さ方向に移動されると、これに取り付けられたピニオン３２が可動ラック２９と同方向に移動されつつ固定ラック１４ａにより回転されるために、該ピニオン３２と噛み合うラック部３３ａを有するキャリヤプレート３３が可動ラック２９より高速で可動ラック２９と同方向に移動する。従って、図１７に示される如くキャリヤプレート３３とフックレバー３４とより支点軸４ｄを挟み込まれたディスクトレー４は、その支点軸４ｄがキャリヤプレート３３の移動方向（ガイド溝１５ａに沿う上下方向）に移動され、これにより当該ディスクトレー４の旋回移動が行われる。
【００６３】
次に、図１８において、３６は上述のディスク解放レバーを示す。このディスク解放レバー３６は、上記ディスクトレーがドライブ位置に達したときリテーナプレート１０によるディスクの保持を解除するもので、その一端にはリテーナプレート１０の凸部１０ｂに対応する押圧片３６ａが形成される。ここに、係るディスク解放レバー３６は図１０に示した床板１３上にあって出力ギア２８と同軸上に揺動自在に設けられており、その一端には上記押圧片３６ａが形成され、他端にはカムギア２７のカム溝２７ｅに嵌まり込む従節ピン３６ｂが設けられる。一方、同図１８から明らかなように、カム溝２７ｅは無端のリング形で、その一部はカムギア２７の外周側に張り出した膨出部２７ｅ１とされている。そして、その膨出部２７ｅ１に従節ピン３６ｂが位置したとき、他方の押圧片３６ａによりリテーナプレート１０の凸部１０ｂが押圧されてリテーナプレート１０が図１８の時計回りに揺動され、これによりリテーナプレート１０の爪部１０ａがディスクの端面から離間して該リテーナプレート１０によるディスクの保持が解除されるようになっている。尚、従節ピン３６ｂが膨出部２７ｅ１に位置するタイミングは、ディスクトレーがドライブ位置に達するタイミングに一致し、以ってディスクトレーがドライブ位置に達したときはディスクをリテーナプレート１０から解放し、該ディスクを上記ターンテーブルで回転自在に支持することができる。
【００６４】
ここで、以上のように構成されるディスク駆動装置の動作について概説すれば、ディスクトレーがドライブ位置にある状態（図１の状態）において、図示せぬスイッチの操作で図１３に示されるモータ２３を同図反時計回りに駆動すると、カムギア２７が反時計回りに回転しながら揺動レバー３０を時計回りに揺動せしめる。尚、このとき、出力ギア２８はカムギア２７と噛み合わずして静止状態を保っている。
【００６５】
又、揺動レバー３０が上記のように時計回りに揺動されると、スライドプレート１７が図１３の上方に向かって移動を開始する。これにより、図１２に示したドアフレーム１８が開放され始めるほか、旋回アーム２０がそのピン２０ｃをスライドプレート１７のカム溝１７ａにより押圧されて旋回を始めることにより、ディスクトレー４が図１２の一点鎖線で示すイジェクト位置に向かって旋回移動を開始する。
【００６６】
そして、旋回アーム２０のピン２０ｃがカム溝１７ａから脱出するのと同期して図１３に示されるカムギア２７の係止突起２７ｄが出力ギア２８の係止爪２８ｄに係合することにより、出力ギア２８の回転が開始される。これにより、キャリヤプレート３３とフックレバー３４が図１７のようにディスクトレー４の支点軸４ｄを支持しながら同図１７の下方に向かって高速移動するようになるため、ディスクトレー４がイジェクト位置に向かって急速に旋回移動するようになる。
【００６７】
尚、キャリヤプレート３３とフックレバー３４とによるディスクトレー４の旋回移動が進められる途上において、揺動レバー３０の従節ピン３０ａの軌道がカム溝２７ｆの第１経路２７ｆ１から第２経路２７ｆ２（図１５参照）に移行するため、スライドプレート１７は図１２の実線位置に達した後、同図１２の下方に逆行する。従って、ドアフレーム１８は図１２の実線位置まで開放してディスクトレー４の旋回移動を許容し、ディスクトレー４がイジェクト位置に達したときには同図一点鎖線で示される位置まで旋回して開度を縮小する。
【００６８】
又、ディスクトレー４がイジェクト位置に達した段階では、上記のようにピックアップ９がピックアップカバー５で覆われるほか（図１０参照）、旋回アーム１９のギア部１９ｃによるトリガープレート１１の移動により、リテーナプレート１０の揺動が行われてディスクの保持が解除される（図７、図１４参照）。よって、イジェクト位置におけるディスクトレー４からイジェクトされたディスクを取り出すことができる。
【００６９】
次に、ディスクトレーがイジェクト位置にある状態（図２の状態）において、図示せぬスイッチの操作で図１３に示されるモータ２３を同図時計回りに駆動すると、カムギア２７と出力ギア２８が噛み合った状態となっているために、キャリヤプレート３３とフックレバー３４が図１３の下方位置から同図実線位置に向かって上方移動されるのであり、このためディスクトレーがドライブ位置に向かって旋回移動を開始する。
【００７０】
このとき、旋回アーム１９がディスクトレー４にて旋回されることにより、そのギア部１９ｃに噛み合うトリガープレート１１を介してリテーナプレート１０の揺動が開始されてディスクが保持されるようになる（図７、図１４参照）。尚、リテーナプレート１０で保持されるディスクは、第１配置部４ａ１に配置された小径ディスクであるが、第２配置部４ａ２に配置された大径ディスクも凸条４ｆ（図４参照）によりその外周縁を支持されるため脱落が防止される。
【００７１】
一方、ディスクトレー４がドライブ位置に向かって旋回移動するとき、カムギア２７はそのカム溝２７ｆ（図１５参照）により、揺動レバー３０を図１３の時計回りに揺動させた後、その揺動方向を反転させるのであり、このためスライドプレート１７が上方移動後に下方移動して図１２に示されるドアフレーム１８を閉鎖方向に旋回させるようになる。
【００７２】
そして、スライドプレート１７が所定位置まで移動すると、そのカム溝１７ａに図１２に示される旋回アーム２０のピン２０ｃが導入するために、ディスクトレー４の旋回移動が旋回アーム２０を介してスライドプレート１７で行われるようになる。
【００７３】
尚、この段階でフックレバー３４は図１３の実線で示される上限位置に達し、そのガイドピン３４ａが図１１に示される第２ガイド溝１５ｂの端部（図１１の上端）に位置するために、スライドプレート１７によるディスクトレー４の旋回移動時にはフックレバー３４が図１７の一点鎖線で示す位置に揺動してディスクトレー４の支点軸４ｄを解放する。よって、ディスクトレー４はその支点軸４ｄを図１７の上方に移動させながらイジェクト位置に達することになる。このとき、図１８のディスク解放レバー３６により、リテーナプレート１０がバネ１２の付勢力に抗して揺動されてディスクが解放されつつ、同ディスクがターンテーブル７とクランプ盤３により中心部をチャッキングされ（図３参照）、更にピックアップカバー５がピックアップ９上から排除されてディスクの記録再生準備が整えられることになる。
【００７４】
以上、本発明に係るディスク駆動装置の好適な構成例を説明したが、ディスクトレー４は円形のディスク配置部４ａを形成するものに限らず、ＭＤ（ミニディスク）のようにカートリッジ付のディスクに対応して断面Ｃ字形の形態とするなどしてもよい。
【００７５】
又、上記例ではディスクトレーの支点軸４ｄを移動支点としたが、これを定位置で回転のみ許容される回転支点としてもよい。但し、支点軸４ｄを回転支点とした場合には図１９(ａ)のようにディスクトレー４の旋回移動による占有スペースが大きくなって筐体の開閉部分の高さ寸法Ｗ１を大きくする必要が生ずるのに対し、支点軸４ｄを移動支点とした場合には、図１９(ｂ)のようにディスクトレー４の旋回移動による占有スペースが小さくなって筐体の開閉部分の高さ寸法Ｗ２を小さくできるという有利な効果が得られる。
【図面の簡単な説明】
【００７６】
【図１】本発明に係るディスク駆動装置を示す斜視図（ディスク回転時の状態）
【図２】同装置を示す斜視図（ディスクイジェクト時の状態）
【図３】ディスクがターンテーブルに装着された状態を示す説明図
【図４】ディスクトレーの平面図
【図５】ディスクトレーを表面側からみた透視図
【図６】ディスクトレーに配置されたディスクを保持する部品を示す平面図
【図７】ディスクが保持された状態を示す部分拡大図
【図８】ディスクトレーとピックアップカバーの斜視分解図
【図９】ディスクトレーのイジェクト位置とドライブ位置を示す説明図
【図１０】ディスクトレーの旋回移動時の状態を示す説明図
【図１１】本装置の内部構造を部分的に示す右側面図
【図１２】本装置の内部構造を部分的に示す左側面図
【図１３】本装置の内部構造を部分的に示す正面図
【図１４】ディスクトレーの一部を側方から透視図
【図１５】本装置の構成部品を示す底面図
【図１６】ディスクの旋回移動に用いる部品の構成図
【図１７】図１６を側方からみた説明図
【図１８】ディスクトレーに保持されたディスクを解放する機構を示す説明図
【図１９】ディスクトレーの旋回移動時の動作領域を示す説明図
【符号の説明】
【００７７】
１  筐体
２  フロントドア
３  クランプ盤
４  ディスクトレー
４ａ  ディスク配置部
４ｄ  支点軸
５  ピックアップカバー
７  ターンテーブル
９  ピックアップ
【図１】
2008204559.tif 000003
【図２】
2008204559.tif 000004
【図３】
2008204559.tif 000005
【図４】
2008204559.tif 000006
【図５】
2008204559.tif 000007
【図６】
2008204559.tif 000008
【図７】
2008204559.tif 000009
【図８】
2008204559.tif 000010
【図９】
2008204559.tif 000011
【図１０】
2008204559.tif 000012
【図１１】
2008204559.tif 000013
【図１２】
2008204559.tif 000014
【図１３】
2008204559.tif 000015
【図１４】
2008204559.tif 000016
【図１５】
2008204559.tif 000017
【図１６】
2008204559.tif 000018
【図１７】
2008204559.tif 000019
【図１８】
2008204559.tif 000020
【図１９】
2008204559.tif 000021